(57)【要約】【課題】  例えば賃貸物件の室内など、自由に固定具を取り付けられない壁面などにあらかじめ配設しておくことにより、簡単に写真、ポスターなどの物品を押しピンなどの固定具で固定できるとともに、洋服用ハンガーなどのハンガー類を引掛けることもできるフック部材を提供する。【解決手段】  発泡樹脂からなり、壁面Ｗに略水平に固定される長尺なフック本体１１と、該フック本体１１の前面少なくとも一部に貼着される化粧シート１４とを備え、前記フック本体１１の上部には、長手方向に沿う引掛部１２が形成されたフック部材１０。引掛部１２は、フック本体１１が壁面Ｗに固定された場合に、前記上部が、壁面Ｗから離れるように前方に突出して形成されたものであることが好ましい。【選択図】    図１
2006144235.tif 000002
【特許請求の範囲】
【請求項１】
発泡樹脂からなり、壁面に略水平に固定される長尺なフック本体と、該フック本体の前面の少なくとも一部に貼着される化粧シートとを備え、前記フック本体の上部には、長手方向に沿う引掛部が形成されたことを特徴とするフック部材。
【請求項２】
前記引掛部は、前記フック本体が壁面に固定された場合に、前記上部が、前記壁面から離れるように前方に突出して形成されたことを特徴とする請求項１に記載のフック部材。
【請求項３】
前記化粧シートは、コルクシートまたは磁性シートであることを特徴とする請求項１または２に記載のフック部材。
【請求項４】
前記フック本体のうち前記化粧シートが貼着される部分以外の少なくとも一部には、硬質樹脂からなる被覆層が形成されていることを特徴とする請求項１ないし３のいずれかに記載のフック部材。
【発明の詳細な説明】
【技術分野】
【０００１】
本発明は、室内の壁面に配設されるフック部材に関する。
【背景技術】
【０００２】
従来より、住居室内の壁面に写真、ポスターなどを飾ったり、洋服用ハンガーを吊したりすることが日常的に行われている。
【発明の開示】
【発明が解決しようとする課題】
【０００３】
しかしながら、最近の賃貸マンションなどでは、居住者が自由に押しピンや釘などの固定具を壁に取り付けることは禁じられている場合が多い。よって、居住者は不便を感じたり、あるいは日常生活上やむを得ず固定具を取り付け、それが原因となって貸主との間にトラブルが生じたりすることもあった。
【０００４】
本発明は上記事情に鑑みてなされたもので、例えば賃貸物件の室内など、自由に固定具を取り付けられない壁面などにあらかじめ配設しておくことにより、簡単に写真、ポスターなどの物品を押しピンなどの固定具で固定できるとともに、洋服用ハンガーなどのハンガー類を引掛けることもできるフック部材を提供することを課題とする。
【課題を解決するための手段】
【０００５】
本発明のフック部材は、発泡樹脂からなり、壁面に略水平に固定される長尺なフック本体と、該フック本体の前面の少なくとも一部に貼着される化粧シートとを備え、前記フック本体の上部には、長手方向に沿う引掛部が形成されたことを特徴とする。
前記引掛部は、前記フック本体が壁面に固定された場合に、前記フック本体の前記上部が、前記壁面から離れるように前方に突出して形成されたことが好ましい。
前記化粧シートは、コルクシートまたは磁性シートであることが好ましい。
前記フック本体のうち前記化粧シートが貼着される部分以外の少なくとも一部には、硬質樹脂からなる被覆層が形成されていることが好ましい。
【発明の効果】
【０００６】
本発明のフック部材によれば、例えば賃貸物件の室内など、自由に固定具を取り付けられない壁面などにあらかじめ配設しておくことにより、簡単に写真、ポスターなどの物品を押しピンなどの固定具で固定できるとともに、洋服用ハンガーなどのハンガー類を引掛けることもできる。
【発明を実施するための最良の形態】
【０００７】
以下、本発明について図面を用いて詳細に説明する。
図１は、本発明の一実施形態例であるフック部材１０が、内装材からなる壁面Ｗに固定された状態を示す部分断面斜視図、図２は、図１のフック部材１０の固定の状態を示す断面図である。図中符号Ｓは木下地である。
このフック部材１０は、発泡ＡＢＳなどの発泡樹脂から押出成形により形成された長尺な板状のフック本体１１を備えている。フック本体１１は図示のように、後面１１ｂが壁面Ｗに接するように配置された状態で、長手方向が略水平となるようにビス１９により固定されるものであって、その上部が壁面Ｗから離れるように前方に突出して、引掛部１２が形成されている。この例では、引掛部１２と壁面Ｗとにより長手方向に沿う凹条１３が形成され、この凹条１３に洋服ハンガーなどのハンガー類を引掛けるようになっている。
この例のフック本体１１は、全長２〜３ｍ程度であり、その他の各部分の長さは、図３中の符号で、Ｈ１＝５３ｍｍ、Ｈ２＝１８ｍｍ、Ｈ３＝３０ｍｍ、Ｈ４＝５ｍｍ、Ｈ５＝１２ｍｍ、Ｄ１＝８ｍｍ、Ｄ２＝１８ｍｍ、Ｄ３＝１２ｍｍ、Ｄ４＝２ｍｍとなっている。
【０００８】
フック本体１１における前面１１ａの一部、この例では、引掛部１２よりも下方の前面１１ａに、その長手方向に沿って幅３０ｍｍ、厚さ１ｍｍの帯状の化粧シート１４が貼着されていて、押しピン、釘などの固定具により、写真、ポスターなどの物品を固定する掲示領域が形成されている。
一方、フック本体１１の前面１１ａにおいて化粧シート１４が貼着されていない部分と、フック本体１１の上端面１１ｃおよび下端面１１ｄには、ＡＳＡ樹脂などの硬質樹脂からなる厚さ０．５ｍｍの被覆層１５が形成されていて、表面硬度が付与されている。この例で被覆層１５は、共押出成形により、フック本体１１とともに成形されている。なお、図１中符号１６はエンドカバーであり、フック本体１１と化粧シート１４の両末端に取り付けられるが、図においては一方のみを示している。また、符号１７は、エンドカバー１６に形成された突起と嵌合する、エンドカバー固定用の溝である。
【０００９】
このようなフック本体１１は、図４に示すようにして壁面Ｗに固定できる。
まず、フック本体１１を壁面Ｗにビス止めする。この例では、フック本体１１において、後に化粧シート１４が貼着される部分に複数（図４では２ヶ所）のビス穴１８が貫通形成されていて、ここにビス１９をねじ込んでフック本体１１をビス止めする。その後、これらのビス穴１８に、例えば熱可塑性エラストマー、軟質ＰＶＣなどの軟質樹脂や、フック本体１１と同様の発泡樹脂からなる埋め込み部材２０をそれぞれ埋設して、ビス穴１８をフック本体１１の前面１１ａと面一になるように塞ぐとともに、この部分にも物品固定用の押しピンなどの固定具が刺さるようにする。
ついで、壁面Ｗに固定されたフック本体１１の前面１１ａの所定位置に、図示略の両面テープなどで化粧シート１４を貼着し、掲示領域を形成するとともにビス穴１８および埋め込み部材２０を隠す。
その後、フック本体１１とこれに貼着された化粧シート１４の両末端にエンドカバー１６を取り付ける。
【００１０】
このようなフック部材１０によれば、フック本体１１に、その上部が壁面Ｗから離れるように前方に突出した引掛部１２が形成されていて、引掛部１２と壁面Ｗとにより長手方向に沿って形成された凹条１３にハンガー類を引掛けられるようになっているので、これを壁面にあらかじめ配設しておくことにより、図５に示すように、新たに壁面Ｗに釘などを打つことなく、容易かつ安定に洋服用ハンガー３０などのハンガー類を引掛けることができる。
また、このようなフック部材１０によれば、フック本体１１が発泡樹脂から形成されているので、物品固定用の固定具３１を容易に刺せるとともにこれを安定に保持できる。よって、その前面１１ａの一部に形成された掲示領域に、容易かつ安定に写真、ポスター３２などの物品を固定することもできる。また、発泡樹脂は軽量で取扱性に優れ、切断も容易であるため、このフック部材１０を配設する壁面Ｗの大きさなどに応じて、使用者がフック本体１０を適宜所望の長さに切断したうえで壁面Ｗに配設することもできる。
【００１１】
発泡樹脂の種類としては、ＡＢＳの他、ＰＶＣ、ＡＳＡ、ＰＳなどが使用できる。
発泡樹脂の発泡倍率には特に制限はないが、固定具が容易に刺さり、かつ、安定に保持されることから２〜３倍が好ましい。また、発泡倍率が３倍を超えると、押しピンなどの固定具を刺すことは容易となるが、フック本体１１をビス止めする際の保持力が弱くなる。
【００１２】
また、このようなフック部材１０によれば、その前面１１ａの一部には化粧シート１４が貼着され、固定具３１で物品を固定するための掲示領域が形成されているので、意匠性に優れるとともに、固定具３１を抜いた跡も目立たない。
化粧シート１４としては特に制限はないが、押しピンなどの固定具３１を抜いた跡が特に目立ちにくいことから、コルクシートや、磁性シートなどが好適である。磁性シートとしては、ゴムなどの樹脂中に鉄粉などの磁性粉体が分散した層を備えたシートを例示でき、このような磁性シートを使用することによって、意匠性や固定具３１の跡を目立たなくする効果に加えて、マグネット部材を使用して掲示領域に物品を固定することもできる。なお、ここで磁性シートとしては、磁石を備えたマグネット部材が吸着するもの、または磁性シート自身が磁石のように作用するものであってもよい。
【００１３】
さらに、このようなフック部材１０によれば、フック本体１１の前面１１ａにおいて化粧シート１４が貼着されていない部分や、フック本体１１の上端面１１ｃおよび下端面１１ｄには、硬質樹脂による被覆層１５が形成されているので、ハンガー類を引掛けたり取り外したりする際などに傷が付きにくい。
硬質樹脂の種類としては、ここでは耐光性の観点からＡＳＡを選択しているが、その他、フック本体１１に使用されるＡＢＳ、ＰＶＣ、ＰＳなども使用できる。
【００１４】
なお、フック本体１１に形成される引掛部１２の形状には特に制限はなく、フック本体１１の上部に長手方向に沿うように、ハンガー類を引掛けられるように形成されたものであればよい。具体的には、図６（ａ）および（ｂ）に示すように、図１〜４に例示のフック本体１１と同様に、引掛部１２と壁面Ｗとにより長手方向に沿う凹条１３が形成され、この凹条１３にハンガー類を引掛ける形態のものや、図７に示すように、フック本体１１の上端面に長手方向に沿う凹条が設けられて引掛部１２とされた形態のものも例示できる。
また、フック本体１１の製造方法としては、押出成形が簡便であり、硬質樹脂による被覆層１５が形態されたものの場合には特に共押出成形が好適であるが、その製造方法には制限はなく、いかなる方法であってもよい。
【図面の簡単な説明】
【００１５】
【図１】本発明の一例であるフック部材を、壁面に固定した状態を示す斜視図である。
【図２】図１に示したフック部材の固定の状態を示す断面図である。
【図３】図１に示したフック部材における各部分の長さを説明する説明図である。
【図４】フック部材を図１のように壁面に固定する方法の説明図である。
【図５】図１のフック部材に洋服用ハンガーを引掛け、ポスターを固定した状態を示す正面図である。
【図６】本発明のフック部材の他の一例を示す断面図である。
【図７】本発明のフック部材の他の一例を示す断面図である。
【符号の説明】
【００１６】
１０  フック部材
１１  フック本体
１２  引掛部
１４  化粧シート
１５  被覆層
Ｗ  壁面
【図１】
2006144235.tif 000003
【図２】
2006144235.tif 000004
【図３】
2006144235.tif 000005
【図４】
2006144235.tif 000006
【図５】
2006144235.tif 000007
【図６】
2006144235.tif 000008
【図７】
2006144235.tif 000009